(57)【要約】【課題】  従来の車両内においてスマートフォンなどの端末装置を保持する端末装置ホルダーは、単なるボックス状のもので、端末装置をしっかりと保持できず、車両の走行時に、ガタツキ音や、端末装置が破損してしまう場合があるという欠点があった。【解決手段】  本発明の端末装置保持装置は、一方の側部を有するホルダ本体と、上記ホルダ本体に設けた、挿入された端末装置の他側面を、上記一方の側部側に押圧する端末装置押圧部を有する端末装置押圧機構部とよりなり、上記一方の側部と、上記端末装置押圧機構部の端末装置押圧部とにより、上記端末装置を挟持固定することを特徴とする。また、上記端末装置押圧部の上端に傾動自在に枢支した端末装置の押さえ部と、この押さえ部を、上記端末装置押圧部の移動に従って、ホルダ本体内側に傾動させる傾動手段とを更に設ける。【選択図】  図１
2013177107.tif 000002
【特許請求の範囲】
【請求項１】
一方の側部を有するホルダ本体と、
上記ホルダ本体に設けた、挿入された端末装置の他側面を、上記一方の側部側に押圧する端末装置押圧部を有する端末装置押圧機構部とよりなり、
上記一方の側部と、上記端末装置押圧機構部の端末装置押圧部とにより、上記端末装置を挟持固定することを特徴とする端末装置保持装置。
【請求項２】
上記端末装置押圧機構部は、上記ホルダ本体に対して、スライド自在なスライド板と、このスライド板に設けた端末装置押圧部と、上記スライド板をスライドさせるスライド機構部とよりなり、
上記スライド機構部により上記スライド板をスライドすることにより、上記端末装置押圧部を上記挿入された端末装置の他側面を押圧する方向に移動させて、上記端末装置押圧部と上記ホルダ本体の一方の側部とにより、上記端末装置を挟持固定することを特徴とする請求項１記載の端末装置保持装置。
【請求項３】
上記スライド機構部は、
上記スライド板を左右方向にスライド自在にガイドするガイド手段と、
上記ホルダ本体に対して上下動自在に設けたラック板と、上記スライド板と上記ラック板とにそれぞれ傾動自在に枢支して連結したリンクと、
上記ラック板に設けた、挿入される端末装置の下端に当接する当接部と、上記ラック板を上記本体に対して上方に常時付勢する付勢手段と、上記ラック板の上方移動を阻止する阻止手段と、その阻止を解除する解除手段とよりなり、
上記ホルダ本体に端末装置を挿入して、上記端末装置の下端により上記ラック板の当接部を下方に押圧して、上記ラック板を下方に移動させることにより、上記リンクを介して上記スライド板を左右方向にスライドさせることを特徴とする請求項２記載の端末装置保持装置。
【請求項４】
上記端末装置押圧機構部は、上記ホルダ本体に設けたロック用ギアと、このロック用ギアに設けた端末装置押圧部と、上記ロック用ギアを回動する回動手段とよりなり、
上記回動手段により上記ロック用ギアを回動することにより、上記端末装置押圧部を上記挿入された端末装置の他側面を押圧する方向に移動させて、上記端末装置押圧部と上記ホルダ本体の一方の側部とにより、上記端末装置を挟持固定することを特徴とする請求項１記載の端末装置保持装置。
【請求項５】
上記ロック用ギアは、互いに噛合して上下に配置された、一方のロック用ギアと他方のロックギアとよりなることを特徴とする請求項４記載の端末装置保持装置。
【請求項６】
上記ロック用ギアを回動する回動手段は、モーターであることを特徴とする請求項４又は５記載の端末装置保持装置。
【請求項７】
上記ロック用ギアを回動する回動手段は、上記ホルダ本体に対して上下動自在に設けた、上記ロック用ギアに噛合するラック歯を上下方向に有するラック板と、このラック板に設けた、挿入される端末装置の下端に当接する当接部と、上記ラック板を上記本体に対して上方に常時付勢する付勢手段と、上記ラック板の上方移動を阻止する阻止手段と、その阻止を解除する解除手段とよりなり、
上記ホルダ本体に端末装置を挿入して、上記端末装置の下端により上記ラック板の当接部を下方に押圧して、上記ラック板を下方に移動させることにより、上記ラック板に噛合する上記ロック用ギアを回動することを特徴とする請求項４又は５記載の端末装置保持装置。
【請求項８】
上記ラック板の上方移動の速度を緩める緩衝手段を更に有することを特徴とする請求項３又は７記載の端末装置保持装置。
【請求項９】
上記端末装置押圧部は、上記ロック用ギアに設けた枢支ピンと、この枢支ピンに、その一端を傾動自在に枢支したスライド板と、このスライド板を、上記ホルダ本体に対して左右方向にスライド自在とするガイド手段とよりなる機構を介して、上記スライド板の他端に設けられていることを特徴とする請求項４、５、６、７又は８記載の端末装置保持装置。
【請求項１０】
上記端末装置押圧部は、上記スライド板に垂直方向に延びる突出部材であることを特徴とする請求項２、３又は９記載の端末保持装置。
【請求項１１】
上記端末装置押圧部は、上記ロック用ギアの軸方向に延びる突出部材であることを特徴とする請求項４、５、６、７又は８記載の端末保持装置。
【請求項１２】
上記突出部材の外形は、遊端に向かって徐々に半径が大きくなる円錐台形状であることを特徴とする請求項１０又は１１記載の端末保持装置。
【請求項１３】
上記突出部材の外形は、板状であり、遊端に向かって、ホルダ本体内側に傾斜して設けられていることを特徴とする請求項１０又は１１記載の端末装置保持装置。
【請求項１４】
上記端末装置押圧部の上端に傾動自在に枢支した端末装置の押さえ部と、この押さえ部を、上記端末装置押圧部の移動に従って、ホルダ本体内側に傾動させる傾動手段とを更に設けたことを特徴とする請求項１、２、３、４、５、６、７、８、９、１０、１１、１２又は１３記載の端末装置保持装置。
【請求項１５】
上記傾動手段は、上記押さえ部を上記端末装置押圧部の上部の外方側で、上記ホルダ本体内側に傾動自在に枢支する枢支部と、上記ホルダ本体と上記端末装置押圧部の上部の内方側とをそれぞれ傾動自在に連結した連結棒とよりなることを特徴とする請求項１４記載の端末装置保持装置。
【請求項１６】
上記他方の側部は板状であり、裏板側から表板側に向かって、ホルダ本体内側に傾斜して設けられていることを特徴とする請求項１、２、３、４、５、６、７、８、９、１０、１１、１２、１３、１４又は１５記載の端末装置保持装置。
【請求項１７】
上記一方の側部は、挿入された端末装置の一側面を、他側面側に押圧する他の端末装置押圧機構部の他の端末装置押圧部であることを特徴とする請求項１、２、３、４、５、６、７、８、９、１０、１１、１２、１３、１４、１５又は１６記載の端末装置保持装置。
【発明の詳細な説明】
【技術分野】
【０００１】
本発明は端末装置保持装置、特に、スマートフォン、タブレットＰＣ、携帯電話などの端末装置を保持するための装置に関するものである。
【背景技術】
【０００２】
従来、車両内にスマートフォンなどの端末装置を保持するための端末装置ホルダーがある。この端末装置ホルダーは通常、単なるボックス状のものである。
【発明の概要】
【発明が解決しようとする課題】
【０００３】
スマートフォンなどの形状は、各メーカーによって異なる。そのため、車両内に設置される端末装置ホルダーは、多くのメーカーに対応しようとすると大きくなり、実際にスマートフォンなどを端末装置ホルダーに挿入した時、しっかりと保持されない場合が多い。
【０００４】
そのため、車両の走行中に、ガタツキ音や、端末装置が破損してしまう場合があるという欠点があった。
【０００５】
本発明は上記の欠点を除くようにしたものである。
【課題を解決するための手段】
【０００６】
本発明の端末装置保持装置は、一方の側部を有するホルダ本体と、上記ホルダ本体に設けた、挿入された端末装置の他側面を、上記一方の側部側に押圧する端末装置押圧部を有する端末装置押圧機構部とよりなり、上記一方の側部と、上記端末装置押圧機構部の端末装置押圧部とにより、上記端末装置を挟持固定することを特徴とする。
【０００７】
また、上記端末装置押圧機構部は、上記ホルダ本体に対して、スライド自在なスライド板と、このスライド板に設けた端末装置押圧部と、上記スライド板をスライドさせるスライド機構部とよりなり、上記スライド機構部により上記スライド板をスライドすることにより、上記端末装置押圧部を上記挿入された端末装置の他側面を押圧する方向に移動させて、上記端末装置押圧部と上記ホルダ本体の一方の側部とにより、上記端末装置を挟持固定することを特徴とする。
【０００８】
また、上記スライド機構部は、上記スライド板を左右方向にスライド自在にガイドするガイド手段と、上記ホルダ本体に対して上下動自在に設けたラック板と、上記スライド板と上記ラック板とにそれぞれ傾動自在に枢支して連結したリンクと、上記ラック板に設けた、挿入される端末装置の下端に当接する当接部と、上記ラック板を上記本体に対して上方に常時付勢する付勢手段と、上記ラック板の上方移動を阻止する阻止手段と、その阻止を解除する解除手段とよりなり、上記ホルダ本体に端末装置を挿入して、上記端末装置の下端により上記ラック板の当接部を下方に押圧して、上記ラック板を下方に移動させることにより、上記リンクを介して上記スライド板を左右方向にスライドさせることを特徴とする。
【０００９】
また、上記端末装置押圧機構部は、上記ホルダ本体に設けたロック用ギアと、このロック用ギアに設けた端末装置押圧部と、上記ロック用ギアを回動する回動手段とよりなり、上記回動手段により上記ロック用ギアを回動することにより、上記端末装置押圧部を上記挿入された端末装置の他側面を押圧する方向に移動させて、上記端末装置押圧部と上記ホルダ本体の一方の側部とにより、上記端末装置を挟持固定することを特徴とする。
【００１０】
また、上記ロック用ギアは、互いに噛合して上下に配置された、一方のロック用ギアと他方のロックギアとよりなることを特徴とする。
【００１１】
また、上記ロック用ギアを回動する回動手段は、モーターであることを特徴とする。
【００１２】
また、上記ロック用ギアを回動する回動手段は、上記ホルダ本体に対して上下動自在に設けた、上記ロック用ギアに噛合するラック歯を上下方向に有するラック板と、このラック板に設けた、挿入される端末装置の下端に当接する当接部と、上記ラック板を上記本体に対して上方に常時付勢する付勢手段と、上記ラック板の上方移動を阻止する阻止手段と、その阻止を解除する解除手段とよりなり、上記ホルダ本体に端末装置を挿入して、上記端末装置の下端により上記ラック板の当接部を下方に押圧して、上記ラック板を下方に移動させることにより、上記ラック板に噛合する上記ロック用ギアを回動することを特徴とする。
【００１３】
また、上記ラック板の上方移動の速度を緩める緩衝手段を更に有することを特徴とする。
【００１４】
また、上記端末装置押圧部は、上記ロック用ギアに設けた枢支ピンと、この枢支ピンに、その一端を傾動自在に枢支したスライド板と、このスライド板を、上記ホルダ本体に対して左右方向にスライド自在とするガイド手段とよりなる機構を介して、上記スライド板の他端に設けられていることを特徴とする。
【００１５】
また、上記端末装置押圧部は、上記スライド板に垂直方向に延びる突出部材、又は上記ロック用ギアの軸方向に延びる突出部材であることを特徴とする。
【００１６】
また、上記突出部材の外形は、遊端に向かって徐々に半径が大きくなる円錐台形状であることを特徴とする。
【００１７】
また、上記突出部材の外形は、板状であり、遊端に向かって、ホルダ本体内側に傾斜して設けられていることを特徴とする。
【００１８】
また、上記端末装置押圧部の上端に傾動自在に枢支した端末装置の押さえ部と、この押さえ部を、上記端末装置押圧部の移動に従って、ホルダ本体内側に傾動させる傾動手段とを更に設けたことを特徴とする。
【００１９】
また、上記傾動手段は、上記押さえ部を上記端末装置押圧部の上部の外方側で、上記ホルダ本体内側に傾動自在に枢支する枢支部と、上記ホルダ本体と上記端末装置押圧部の上部の内方側とをそれぞれ傾動自在に連結した連結棒とよりなることを特徴とする。
【００２０】
また、上記他方の側部は板状であり、裏板側から表板側に向かって、ホルダ本体内側に傾斜して設けられていることを特徴とする。
【００２１】
また、上記一方の側部は、挿入された端末装置の一側面を、他側面側に押圧する他の端末装置押圧機構部の他の端末装置押圧部であることを特徴とする。
【発明の効果】
【００２２】
本発明によれば、厚さ、幅の異なる端末装置であっても、確実に保持することができるようになる。これにより、走行中のガタツキや破損を防止できるようになる。
【００２３】
また、上記押さえ部により、上記端末装置４を表面側から押圧する、或いは上記端末装置４の表面を覆うように内側に傾動することにより、確実に、端末装置を保持することができると共に、視覚的にも使用者にホールド感を与え、使用者に安心感を与えることができる。
【図面の簡単な説明】
【００２４】
【図１】本発明の端末装置保持装置の第１の実施例の説明用背面図である。
【図２】本発明の端末装置保持装置の第１の実施例の説明用横断平面図である。
【図３】本発明の端末装置保持装置の第１の実施例の説明用右側面図である。
【図４】本発明の端末装置保持装置の第１の実施例の端末装置押圧機構部の説明用背面図である。
【図５】本発明の端末装置保持装置の第１の実施例の端末装置押圧機構部の説明用平面図である。
【図６】本発明の端末装置保持装置の第１の実施例の端末装置押圧機構部の説明用背面側斜視図である。
【図７】本発明の端末装置保持装置の第１の実施例の端末装置押圧機構部の説明用正面側斜視図である。
【図８】本発明の端末装置保持装置の第１の実施例の説明用背面図である。
【図９】本発明の端末装置保持装置の第１の実施例の説明用横断平面図である。
【図１０】本発明の端末装置保持装置の第２の実施例の説明用背面図である。
【図１１】本発明の端末装置保持装置の第２の実施例の説明用横断平面図である。
【図１２】本発明の端末装置保持装置の第２の実施例の説明用右側面図である。
【図１３】本発明の端末装置保持装置の第２の実施例の端末装置押圧機構部の説明用背面図である。
【図１４】本発明の端末装置保持装置の第２の実施例の説明用背面図である。
【図１５】本発明の端末装置保持装置の第２の実施例の説明用横断平面図である。
【図１６】本発明の端末装置保持装置の第２の実施例の説明用右側面図である。
【図１７】本発明の端末装置保持装置の第２の実施例の端末装置押圧機構部の説明用背面図である。
【図１８】本発明の端末装置保持装置の第３の実施例の説明用背面図である。
【図１９】本発明の端末装置保持装置の第３の実施例の説明用横断平面図である。
【図２０】本発明の端末装置保持装置の第３の実施例の説明用右側面図である。
【図２１】本発明の端末装置保持装置の第３の実施例の端末装置押圧機構部の説明用背面図である。
【図２２】本発明の端末装置保持装置の第３の実施例の端末装置押圧機構部の説明用平面図である。
【図２３】本発明の端末装置保持装置の第３の実施例の端末装置押圧機構部の参考用背面側斜視図である。
【図２４】本発明の端末装置保持装置の第３の実施例の端末装置押圧機構部の参考用正面側斜視図である。
【図２５】本発明の端末装置保持装置の第３の実施例の説明用背面図である。
【図２６】本発明の端末装置保持装置の第３の実施例の説明用横断平面図である。
【図２７】本発明の端末装置保持装置の第４の実施例の説明用背面透視図である。
【図２８】本発明の端末装置保持装置の第４の実施例の説明用平面透視図である。
【図２９】本発明の端末装置保持装置の第４の実施例の説明用右側面透視図である。
【図３０】本発明の端末装置保持装置の第４の実施例の説明用背面透視図である。
【図３１】本発明の端末装置保持装置の第４の実施例の説明用平面透視図である。
【図３２】本発明の端末装置保持装置の第４の実施例の説明用右側面透視図である。
【発明を実施するための形態】
【００２５】
以下図面によって本発明の実施例を説明する。
【実施例１】
【００２６】
図１〜図９は本発明の第１の実施例の端末装置保持装置を示し、特に、図１は、本発明の端末装置保持装置を背面から見た図を示し、図４は、本発明の端末装置保持装置の要部を背面から見た図を示す。
【００２７】
本発明の端末装置保持装置は、ホルダ本体１と端末装置押圧機構部２とよりなる。
【００２８】
まず、上記ホルダ本体１を説明する。上記ホルダ本体１は、図１〜図３に示すように、底板１ａと表板１ｂと裏板１ｃと一方の側部としての一方の側板１ｄとにより箱状に形成され、その上部開口部３から端末装置４を挿入できるように形成されている。なお、本発明の第１の実施例においては、上記ホルダ本体１の他方の側板を設けていないが、他方の側板を設けるようにしてもよい。
【００２９】
また、上記ホルダ本体１の表板１ｂは、例えば、挿入された端末装置４の表示画面が見えるように開口部５が形成されている。
【００３０】
また、上記ホルダ本体１の裏板１ｃには、上記端末装置押圧機構部２の後述する２つのローラー１３、１４を夫々貫通する弧状の貫通孔６、６が形成されている。
【００３１】
また、上記ホルダ本体１の一方の側板１ｄは、図２に示すように、外側板７と内側板８との２枚の板により形成され、上記外側板７は、上記裏板１ｃに対して垂直に設けられ、上記内側板８は、裏板側から表板側に向かってホルダ本体内側に傾斜して設けられている。また、上記内側板８は弾性変形して外方に撓むように形成されている。
【００３２】
そして、この上記内側板８の傾斜により、後述するように、図９に示すように、上記端末装置４を上記端末装置押圧機構部２の端末装置押圧部と上記ホルダ本体１の内側板８とにより挟持した時、上記内側板８の傾斜面により、上記端末装置４の角部を一側面側に押圧するとともに、裏板側に押圧して、上記端末装置４をその幅方向だけでなく厚さ方向においても固定できるように形成されている。
【００３３】
なお、上記ホルダ本体１の一方の側板１ｄを、外側板７と内側板８との２枚の板により形成する代わりに、内側板８の１枚のみで形成するようにしてもよい。
【００３４】
次に、上記端末装置押圧機構部２を説明する。上記端末装置押圧機構部２は、例えば、上記ホルダ本体１の裏板１ｃの背面の他方の側に固定されており、上記端末装置押圧機構部２の端末装置押圧部により、上記ホルダ本体１に挿入された端末装置４の他側面４ａを一側面４ｂ側に向かって押圧して、上記端末装置押圧機構部２の端末装置押圧部と上記ホルダ本体４の一方の側部とにより上記端末装置４を挟持して、上記端末装置４をホルダ本体１に固定できるようにする。
【００３５】
図４〜図７は、上記端末装置押圧機構部２を上記ホルダ本体１から分離した詳細図を示す。上記端末装置押圧機構部２は、互いに噛合して上下方向に配置した、同一形状の一方及び他方のロック用ギア９、１０と、この一方及び他方のロック用ギア９、１０の外周縁の他側にそれぞれ設けた、半径方向外方に突出する一方及び他方の突出板１１、１２と、この各突出板１１、１２にそれぞれ設けた端末装置押圧部と、上記一方のロック用ギア８をギア手段１５を介して回動駆動するモーター１６などの回動手段とよりなる。
【００３６】
また、端末装置押圧部は、上記各突出板１１、１２にそれぞれ回転自在に設けた、上記ギア９、１０の回転軸方向と同じ方向の回転軸を有する一方及び他方のローラー１３、１４などの一方及び他方の突出部材とよりなる。
【００３７】
また、上記一方及び他方のローラー１３、１４は、ゴムなどの合成樹脂製で形成されている。
【００３８】
なお、上記ローラー１３、１４は上記突出板１１、１２に対してそれぞれ回転自在ではなく、固定して設けてもよい。
【００３９】
また、上記ローラー１３、１４は、上記ホルダ本体１の貫通溝６、６を貫通して、上記ホルダ本体１内に挿入され、その形状は、上記ホルダ本体１の裏板側から表板側に向かって半径が次第に大きくなる、円錐台形状に形成されている。これにより、後述するように、図９に示すように、上記端末装置４を上記端末装置押圧機構部２のローラー１３、１４と上記ホルダ本体１の内側板８とにより挟持した時、上記ローラー１３、１４の傾斜面により、上記端末装置４の角部を一側面側に押圧するとともに、裏板側に押圧して、上記端末装置４をその幅方向だけでなく厚さ方向においても固定できるように形成されている。
【００４０】
また、上記ギア手段１５は、上記一方のロック用ギア９に噛合する平歯車１７と、この平歯車１７に同軸に固定されたウォームホイルギア１８と、このウォームホイルギア１８に噛合する、上記モーター１６の出力軸１６ａに固定されたウォームギア１９とよりなる。
【００４１】
なお、上記ロックギア９、１０と、上記ギア手段１５と、上記モーター１６とは、取付板２０に固定されており、この取付板２０が上記ホルダ本体１の裏板１ｃの背面に固定されている。
【００４２】
なお、ロックギア９等を固定した取付板２０を上記裏板１ｃの背面に固定する代わりに、裏板１ｃの内面に固定するようにしてもよい。
【００４３】
本発明の第１の実施例の端末装置保持装置は上記のような構成であるから、上記ホルダ本体１に端末装置４が挿入されていない場合には、図１に示すように、上記各ローラー１３、１４はそれぞれ上記ホルダ本体１の他側に位置して、上記各ローラー１３、１４と上記ホルダ本体１の内側板８との間には十分な端末装置４が挿入できる空間が形成されている。
【００４４】
そして、上記ホルダ本体１の上部開口部３から端末装置４を挿入して、上記モーター１６を一方の方向に回動駆動すれば、図８及び図９に示すように、上記一方のロック用ギア９は図８において反時計回りに回動し、また、他方のロック用ギア１０は時計周りに回動し、これにより、上記各ローラー１２、１３が、それぞれ挿入された携帯端末装置４の他側面４ａを一側面４ｂ側に押圧する方向に移動して、上記ローラー１２、１３と上記ホルダ本体４の一方の側板１ｄの内側板８とにより上記端末装置４を挟持して、上記端末装置４がホルダ本体１に固定されるようになる。
【００４５】
また、上記ホルダ本体４の内側板８は内側に傾斜し、また、上記ローラー９、１０は円錐台形状に形成されて傾斜面を有するので、上記端末装置４は、その幅方向だけでなく厚さ方向においても押圧されて固定されるようになる。
【００４６】
なお、上記モーター１６を他方の方向に回動すれば、上記挟持が解除され、上記端末装置４を上記ホルダー本体１から抜き取ることができるようになる。
【００４７】
本発明の第１の実施例によれば、厚さ、幅の異なる端末装置であっても、確実に保持することができるようになる。これにより、走行中のガタツキや破損を防止できるようになる。
【００４８】
なお、上記一方の側部としての一方の側板１ｄは、上記ホルダ本体１に固定されている必要はなく、例えば、上記端末装置押圧機構部２と同一の構成の他の端末装置押圧機構部を、上記ホルダ本体１の裏板１ｃの背面の一方の側に固定すると共に、上記裏板１ｃに上記他の端末装置押圧機構部のローラーを夫々貫通させる弧状の貫通孔を設け、この他の端末装置押圧機構部のローラーを上記一方の側部とみなしてもよい。
【００４９】
この場合においても、上記ホルダ本体１に挿入された端末装置４を、上記端末装置押圧機構部２のローラー１２、１３により、上記端末装置４の他側面４ａを一側面４ｂに向かって押圧すると共に、上記他の端末装置押圧機構部のローラーにより、上記端末装置４の一側面４ｂを他側面４ａに向かって押圧すれば、上記ローラーにより上記端末装置４が挟持されて、上記端末装置４を上記ホルダ本体１に固定できるようになる。
【００５０】
この際、上記端末装置押圧機構部２と上記他の端末装置押圧機構部とにおいて、例えば、モーターなど共通できる部分は共通させて、上記端末装置押圧機構部２と上記他の端末装置押圧機構部とを夫々駆動させるようにしてもよい。
【００５１】
また、上記一方の側部は、例えば、矩形状のホルダ本体において、角部に設けてもよい。
【００５２】
また、上記端末装置保持装置の上部開口部３を上に向けるのではなく、横にして、横方向から端末装置４をホルダ本体１内に挿入するようにしてもよい。
【００５３】
また、端末装置４を、上記上部開口部３からホルダ本体１内に挿入するのではなく、開口部５からホルダ本体１内に挿入するようにしてもよい。
【実施例２】
【００５４】
本発明の第２の実施例は、図１０〜図１７に示すように、上記第１の実施例における端末装置押圧機構部２において、一方のロック用ギア９を回転させるギア手段１５及びモーター１６を用いる代わりに、上記他方のロックギア１０を回転させるピニオンギア２１と、このピニオンギア２１を回動させるスライド機構部２２などの回動手段とを用いる。
【００５５】
即ち、本発明の第２の実施例においては、端末装置押圧機構部２は、互いに噛合して上下方向に配置した、同一形状の一方及び他方のロック用ギア９、１０と、この一方及び他方のロック用ギア９、１０の外周縁の他側にそれぞれ設けた、半径方向外方に突出する一方及び他方の突出板１１、１２と、この各突出板１１、１２にそれぞれ回転自在に設けた、上記ギア９、１０の回転軸方向と同じ方向の回転軸を有する一方及び他方のローラー１３、１４などの端末装置押圧部としての一方及び他方の突出部材と、上記他方のロック用ギア１０を上記ピニオンギア２１を介して回動するスライド機構部２２などの回動手段とによりなる。
【００５６】
なお、実施例１と同一のものには、同一の符号を付し、その説明を省略する。
【００５７】
図１３は、本発明の第２の実施例の上記端末装置押圧機構部２を上記ホルダ本体１から分離して裏側から見た詳細図を示す。上記スライド機構部２２は、上記取付板２０に対して上下動スライド自在に設けた矩形状のラック板２３と、このラック板２３の下端に固定した、上記ホルダ本体１の裏板１ｃに形成された、上下方向に延びる長孔１ｅを貫通して、上記ホルダ本体１内に突出して、上記端末装置４の下端に当接する当接部２４と、上記ラック板２３の下側の他側に形成した、上記ピニオンギア２１に噛合する他側ラック歯２５と、上記ラック板２３を上記取付板２０に対して常時上方に付勢するための、上記取付板２０の上部と上記ラック板２３の下部とに連結したバネ２６などの付勢手段と、上記ラック板２３の上方移動を阻止する、阻止解除手段を有するラック上方移動阻止手段２７とよりなる。
【００５８】
なお、上記ラック板２３は、このラック板２３に上下方向に設けられた長孔２３ａと、上記長孔２３ａに挿入された、上記取付板２０に固定されたピン２０ａとにより、上記取付板２０に対して、上記ラック板２３が上下動自在に設けられている。
【００５９】
また、上記取付板２０に、上記ラック板２３の上方移動の速度を緩める緩衝装置２８を設けると共に、上記ラック板２３の一側に、上記緩衝装置２８のギア２９に噛合する一側ラック歯３０を設ける。
【００６０】
また、上記ラック上方移動阻止手段２７は、上記ラック板２３の上側の他側に形成したラチェット歯３１と、上記取付板２０に設けた枢支部３２に、その折り曲げ部において傾動自在に枢支した、上記ラチェット歯３１に係合する爪部３３を有するＬ字状のレバー３４と、上記レバー３４の上記爪部３３を常時上記ラチェット歯３１に係合する方向に付勢する、上記取付板２０と上記レバー３４間に設けたバネ３５などの付勢手段とよりなる。
【００６１】
上記バネ３５により、常時上記ラチェット歯３１と上記レバー３４の爪部３３が係合するので、上記ラック板２３を上記取付板２０に対して下方に移動させて、上記バネ２６により上記ラック板２３に上方に移動しようとする力が加わっていても、上記ラック板２３の上方への移動が阻止される。また、上記レバー３４を傾動させて、上記ラチェット歯３１と上記爪部３３との係合を解けば、上記ラック板２３は上方に移動するようになる。
【００６２】
なお、上記爪部３３が解除されても、上記緩衝装置２８により、上記ラック板２３は急激な上方移動が阻止される。
【００６３】
本発明の第２の実施例の端末装置保持装置は上記のような構成であるから、上記ホルダ本体１に端末装置４が挿入されていない場合には、図１０〜図１３に示すように、上記各ローラー１３はそれぞれ上記ホルダ本体１の他側に位置して、上記各ローラー１３、１４と上記ホルダ本体１の内側板８との間には十分な端末装置４が挿入できる空間が形成されている。また、上記ラック板２３は、上記取付板２０に対して上方に位置している。
【００６４】
そして、上記ホルダ本体１の上部開口部３から端末装置４を挿入し、その端末装置４の下端を上記端末装置の当接部２４に当接させて、上記ラック板２３を下方に移動させることにより、図１４〜図１７に示すように、上記一方のロック用ギア９は図１４において反時計回りに回動し、また、他方のロック用ギア１０は時計周りに回動し、これにより、上記各ローラー１２、１３が、それぞれ挿入された携帯端末装置４の他側面４ａを一側面４ｂ側に押圧して、上記ローラー１２、１３と上記ホルダ本体４の内側板８とにより上記端末装置４を挟持して、上記端末装置４がホルダ本体１に固定されるようになる。
【００６５】
そして、上記バネ３５により、上記ラチェット歯３１に上記爪部３３が係合しているから、上記ラック板２３が上記取付板２０に対して上方に移動することがなく、上記端末装置４をホルダ本体１に固定し続けることができる。
【００６６】
なお、Ｌ字レバー３４を傾動させて、上記ラチェット歯３１から上記爪部３３の係合を解除すれば、上記ラック板２３は上記バネ２６により上方に持ち上がり、上記端末装置４の挟持が解除されるとともに、上記端末装置４が上方に持ち上げられる。
【００６７】
本発明の第２の実施例においても、厚さ、幅の異なる端末装置であっても、確実に保持することができる。これにより、走行中のガタツキや破損を防止できるようになる。
【実施例３】
【００６８】
本発明の第３の実施例は、図１８〜図２６に示すように、上記第１の実施例における端末装置押圧機構部２において、一方及び他方のロック用ギア９、１０と、これらの外周縁に設けた突出部１１、１２と、これらの突出部に設けたローラー１３、１４を用いる代わりに、上記ギア手段１５の平歯車１７に噛合するロック用ギア３６と、このロック用ギア３６の外周縁の他側の斜め上方に設けた、半径方向外方に突出する突出板３７と、この突出板３７に設けた枢支ピン３８と、この枢支ピン３８に、他端を傾動自在に枢支したスライド板３９と、上記取付板２０に対して上記スライド板３９を左右方向にスライド自在にガイドするガイド手段としての、上記スライド板３９の他側に設けた長手方向に延びる長孔４０及び、上記取付板２０に設けた、上記長孔４０に挿入されるガイドピン４１と、上記スライド板３９の遊端に設けた、上記ホルダ本体１の裏板１ｃに形成された、左右方向に延びる長孔１ｆを貫通して、上記ホルダ本体１内に突出して、端末装置４の他側面４ａを一側面側に押圧する、端末装置押圧部としての板状の押圧板４２とを用いる。
【００６９】
また、上記板状の押圧板４２は、図１９に示すように、ホルダー本体１の裏板側から表板側に向かって、ホルダ本体内側に傾斜するように、上記スライド板３９に設けられている。また、上記押圧板４２の押圧面には弾性部材を設けるようにしてもよい。
【００７０】
即ち、本発明の３の実施例においては、端末装置押圧機構部２は、ロック用ギア３６と、このロック用ギア３６の外周縁の他側の斜め上方に設けた、半径方向外方に突出する突出板３７と、この突出板３７に設けたピン３８と、このピン３８に傾動自在に枢支されたスライド板３９と、上記取付板２０に対して上記スライド板３９を左右方向にスライド自在にガイドするガイド手段と、上記スライド板３９の遊端に設けた、端末装置４の他側面４ａを一側面側に押圧する、端末装置押圧部としての板状の押圧板４２と、上記ロック用ギア３７を上記ギア手段１５を介して回動するモーター１６などの回動手段とによりなる。
【００７１】
なお、実施例１又は実施例２と同一のものには、同一の符号を付し、その説明を省略する。
【００７２】
本発明の第３の実施例の端末装置保持装置２は上記のような構成であるから、上記ホルダ本体１に端末装置４が挿入されていない場合には、図１８に示すように、上記押圧板４２は上記ホルダ本体１の他側に位置して、上記押圧板４２と上記ホルダ本体１の内側板８との間には十分な端末装置４が挿入できる空間が形成されている。
【００７３】
そして、上記ホルダ本体１の開口部３から端末装置４を挿入して、上記モーター１６を一方の方向に回転駆動すれば、図２５及び図２６に示すように、上記ロック用ギア３６は図１８において反時計回りに回動し、これにより、上記スライド板３９が一方の側面側に移動して、上記スライド板３９の押圧板４２が、挿入された携帯端末装置４の他側面４ａを一側面側に押圧して、上記押圧板４２と上記ホルダ本体４の他方の側板の内側板８とにより上記端末装置４を挟持して、上記端末装置４がホルダ本体１に固定されるようになる。
【００７４】
また、上記ホルダ本体４の内側板８及び上記押圧板４２はそれぞれホルダ本体１の内側に傾斜して設けられているので、上記各傾斜面により、上記端末装置４の角部を一側面側に押圧するとともに、裏板側に押圧して、上記端末装置４をその幅方向だけでなく厚さ方向においても固定できるように形成されている。
【００７５】
なお、上記モーター１６を他方の方向に回動すれば、上記挟持が解除され、端末装置４を上記ホルダー本体１から抜き取ることができるようになる。
【００７６】
本発明の第３の実施例によれば、厚さ、幅の異なる端末装置であっても、確実に保持することができる。これにより、走行中のガタツキや破損を防止できるようになる。
【実施例４】
【００７７】
本発明の第４の実施例の端末装置押圧機構部２を、図２７〜図２９に示す。なお、図２７〜図３２は、透視した図を示す。本発明の第４の実施例の端末装置押圧機構部２は、ホルダ本体１の裏板１ｃの背面に固定した取付板２０の一方及び他方の側にそれぞれ設けた、上記取付板２０に対して、左右方向にスライド自在な一方及び他方のスライド板４３、４４と、上記取付板２０に対して上記スライド板４３、４４を左右方向にスライド自在にガイドするガイド手段としての、上記スライド板４３、４４にそれぞれ設けた長手方向に延びる長孔４５、４６及び、上記取付板２０に設けた、上記長孔４５、４６に挿入されるガイドピン４７、４８と、上記スライド板４３、４４に設けた、上記ホルダ本体１の裏板１ｃに形成された、左右方向に延びる長孔４９、５０を貫通して、上記ホルダ本体１内に突出して、端末装置４の一側面４ｂ及び他側面４ａをそれぞれ押圧する一方及び他方の端末装置押圧部５１、５２と、上記スライド板４３、４４をそれぞれ左右方向にスライドさせるスライド機構部５３とよりなる。
【００７８】
なお、実施例１〜実施例３と同一のものには、同一の符号を付し、その説明を省略する。
【００７９】
上記スライド機構部５３は、上記取付板２０に対し上下動スライド自在に、上記一方のスライド板４３と上記他方のスライド板４４との間に設けた矩形状のラック板５４と、上記ラック板５４の一方の側と上記一方のスライド板４３の他方の側とをそれぞれ傾動自在に枢支して連結した一方のリンク５５と、上記ラック板５４の他方の側と上記他方のスライド板４４の一方の側とをそれぞれ傾動自在に枢支して連結した他方のリンク５６と、上記ラック板５４の下端に固定した、上記ホルダ本体１の裏板１ｃに形成された、上下方向に延びる長孔１ｅを貫通して、上記ホルダ本体１内に突出して、上記端末装置４の下端に当接する当接部５７と、上記ラック板５４を上記取付板２０に対して常時上方に付勢するための、上記取付板２０の上部と上記ラック板５４の下部とに連結したバネ５８などの付勢手段と、上記ラック板５４の上方移動を阻止する、阻止解除手段を有するラック上方移動阻止手段２７とよりなる。
【００８０】
なお、上記ラック板５４は、このラック板５４に上下方向に設けられた長孔５９と、上記長孔５９に挿入された、上記取付板２０に固定されたピン６０とにより、上記取付板２０に対して、上記ラック板５４が上下動自在に設けられている。
【００８１】
また、上記取付板２０に、上記ラック板５４の上方移動の速度を緩める緩衝装置２８を設けると共に、上記ラック板５４の他側に、上記緩衝装置２８のギア２９に噛合する他側ラック歯６１を設ける。
【００８２】
また、上記端末装置押圧部５１、５２の上端には、端末装置４の両側を上記端末押圧部５１、５２により挟持した時に、上記端末装置４を表面側から押圧する、或いは上記端末装置４の表面を覆うようにそれぞれ内側に傾動する押さえ部６２を設ける。
【００８３】
この押さえ部６２は、上記各端末装置押圧部５１、５２の上端の外方側に設けた枢支部６３で左右方向に傾動自在に枢支され、また、上記端末装置押圧部５１、５２の上端の内方側に設けた枢支部６４と、上記取付板２０に取り付けた垂直板６５に設けた枢支部とが連結棒６６によりそれぞれ傾動自在に連結されている。
【００８４】
本発明の第４の実施例の端末装置保持装置は上記のような構成であるから、上記ホルダ本体１に端末装置４が挿入されていない場合には、図２７に示すように、上記各端末装置押圧部５１、５２はそれぞれ上記ホルダ本体１の外方側に位置して、上記各端末装置押圧部５１、５２間には十分な端末装置４が挿入できる空間が形成されている。また、上記ラック板５４は、上記取付板２０に対して上方に位置している。
【００８５】
そして、上記ホルダ本体１の上部開口部３から端末装置４を挿入し、その端末装置４の下端を上記端末装置の当接部５７に当接させて、上記ラック板５４を下方に移動させることにより、図３０〜図３２に示すように、上記スライド板４３、４４がそれぞれ内方にスライドして、これにより、上記各端末装置押圧部５１、５２が、挿入された携帯端末装置４の一側面４ｂ及び他側面４ａを押圧して、上記端末装置押圧部５１、５２により上記端末装置４を挟持して、上記端末装置４がホルダ本体１に固定されるようになる。
【００８６】
また、上記端末装置押圧部５１、５２がそれぞれ内方に移動するに従って、上記押さえ部６２は、上記連結棒６６に引っ張られ、内側に傾動し、上記端末装置４を表面側から押圧し、或いは上記端末装置４の表面を覆うように内側に傾動する。
【００８７】
本発明の第４の実施例においても、厚さ、幅の異なる端末装置であっても、確実に保持することができる。これにより、走行中のガタツキや破損を防止できるようになる。
【００８８】
また、上記押さえ部６２がそれぞれ内側に傾動し、上記端末装置４を表面側から押圧する、或いは上記端末装置４の表面を覆うように内側に傾動することにより、確実に、端末装置を保持することができると共に、視覚的にも使用者にホールド感を与え、使用者に安心感を与えることができる。
【符号の説明】
【００８９】
１  ホルダ本体
１ａ  底板
１ｂ  表板
１ｃ  裏板
１ｄ  一方の側板
１ｅ  長孔
１ｆ  孔孔
２  端末装置押圧機構部
３  上部開口部
４  端末装置
４ａ  他側面
４ｂ  一側面
５  開口部
６  貫通溝
７  外側板
８  内側板
９  一方のロック用ギア
１０  他方のロック用ギア
１１  一方の突出板
１２  他方の突出板
１３  一方のローラー
１４  他方のローラー
１５  ギア手段
１６  モーター
１６ａ  出力軸
１７  平歯車
１８  ウォームホイルギア
１９  ウォームギア
２０  取付板
２０ａ  ピン
２１  ピニオンギア
２２  スライド機構部
２３  ラック板
２３ａ  長孔
２４  当接部
２５  他側ラック歯
２６  付勢バネ
２７  ラック上方移動阻止手段
２８  緩衝装置
２９  ギア
３０  一側ラック歯
３１  ラチェット歯
３２  枢支部
３３  爪部
３４  レバー
３５  バネ
３６  ロック用ギア
３７  突出板
３８  枢支ピン
３９  スライド板
４０  長孔
４１  ガイドピン
４２  押圧板
４３  一方のスライド板
４４  他方のスライド板
４５  長孔
４６  長孔
４７  ガイドピン
４８  ガイドピン
４９  長孔
５０  長孔
５１  一方の押圧部
５２  他方の押圧部
５３  スライド機構部
５４  ラック板
５５  一方のリンク
５６  他方のリンク
５７  当接部
５８  バネ
５９  長孔
６０  ピン
６１  ラック歯
６２  押さえ部
６３  枢支部
６４  枢支部
６５  垂直板
６６  連結棒
【図１】
2013177107.tif 000003
【図２】
2013177107.tif 000004
【図３】
2013177107.tif 000005
【図４】
2013177107.tif 000006
【図５】
2013177107.tif 000007
【図６】
2013177107.tif 000008
【図７】
2013177107.tif 000009
【図８】
2013177107.tif 000010
【図９】
2013177107.tif 000011
【図１０】
2013177107.tif 000012
【図１１】
2013177107.tif 000013
【図１２】
2013177107.tif 000014
【図１３】
2013177107.tif 000015
【図１４】
2013177107.tif 000016
【図１５】
2013177107.tif 000017
【図１６】
2013177107.tif 000018
【図１７】
2013177107.tif 000019
【図１８】
2013177107.tif 000020
【図１９】
2013177107.tif 000021
【図２０】
2013177107.tif 000022
【図２１】
2013177107.tif 000023
【図２２】
2013177107.tif 000024
【図２３】
2013177107.tif 000025
【図２４】
2013177107.tif 000026
【図２５】
2013177107.tif 000027
【図２６】
2013177107.tif 000028
【図２７】
2013177107.tif 000029
【図２８】
2013177107.tif 000030
【図２９】
2013177107.tif 000031
【図３０】
2013177107.tif 000032
【図３１】
2013177107.tif 000033
【図３２】
2013177107.tif 000034